(57)【特許請求の範囲】
【請求項１】
（ａ）金型が取り付けられる金型取り付け面を備える金型取り付け部と、
（ｂ）反力付与部材からの反力を受ける反力受け部を隅部に備える背面部とを有する金型支持装置であって、
（ｃ）前記金型取り付け部の中央領域と前記背面部の中央領域とが中央連結部材によって連結され、
（ｄ）前記金型取り付け部の外周部と前記背面部の外周部とが外周部連結部材によって連結されることを特徴とする金型支持装置。
【請求項２】
前記金型取り付け部と背面部との間における前記中央連結部材の周囲に環状の空洞部が形成される請求項１に記載の金型支持装置。
【請求項３】
前記中央連結部材の軸方向外周形状は、直線的又は対称に形成される請求項１又は２に記載の金型支持装置。
【請求項４】
前記中央連結部材は前記金型取り付け部の中央部と前記背面部の中央部とを連結する単一の部材である請求項１〜３のいずれか１項に記載の金型支持装置。
【請求項５】
前記中央連結部材は前記金型取り付け部の中央領域と前記背面部の中央領域とを連結する複数の部材である請求項１〜３のいずれか１項に記載の金型支持装置。
【請求項６】
前記外周部連結部材は、前記金型取り付け部及び前記背面部の四方又は二方の外周部において前記金型取り付け部と背面部とを連結する請求項１〜５のいずれか１項に記載の金型支持装置。
【請求項７】
前記反力受け部の金型取り付け側面と前記金型取り付け部の金型取り付け面との間には段差が存在する請求項１〜６のいずれか１項に記載の金型支持装置。
【請求項８】
（ａ）前記背面部は、成形機の型締装置を支持するフレームに固定される取り付け部を有し、
（ｂ）該取り付け部は前記背面部の上下方向の変形を抑制する箇所に設けられる請求項１〜７のいずれか１項に記載の金型支持装置。
【請求項９】
請求項１〜８のいずれか１項に記載の金型支持装置を有する成形機。
【請求項１０】
請求項１〜８のいずれか１項に記載の金型支持装置を使用して成形品を成形する成形方法。
【請求項１１】
（ａ）固定金型支持装置に取り付けられた固定金型と可動金型支持装置に取り付けられた可動金型とから成る金型装置のキャビティに樹脂を充填して成形品を成形する成形方法であって、
（ｂ）前記固定金型支持装置又は可動金型支持装置は、金型取り付け部の中央領域と背面部の中央領域とが中央連結部材によって連結され、前記金型取り付け部の外周部と前記背面部の外周部とが外周部連結部材によって連結され、
（ｃ）型締装置の型締力によって前記可動金型を固定金型に押し付けるステップと、
（ｄ）前記型締力が前記金型取り付け部から中央連結部材又は外周部連結部材の少なくとも一方を介して背面部に伝達されるステップと、
（ｅ）前記型締力の反力を背面部の隅部における反力受け部が受けるステップと、
（ｆ）溶融させられた樹脂が高圧で射出されて前記キャビティに充填されるステップとを有することを特徴とする成形方法。
【請求項１２】
（ａ）駆動部が駆動することによって可動金型を進退させ、固定金型との間に型締力を発生させる型締装置に用いられ、該固定金型又は可動金型を取り付ける金型取り付け面が所定の厚さを有する箱状の金型支持装置であって、
（ｂ）該金型支持装置の内部に、環状の空洞部が形成されるとともに、
（ｃ）前記金型取り付け面と隣合う面に、該空洞部と貫通する貫通孔が形成されることを特徴とする金型支持装置。
【発明の詳細な説明】
【技術分野】
【０００１】
本発明は、金型支持装置、成形機及び成形方法に関するものである。
【背景技術】
【０００２】
従来、射出成形機のような成形機においては、加熱シリンダ内においてスクリュを前進させ、加熱され、溶融させられた樹脂を高圧で射出して金型装置のキャビティに充填（てん）し、該キャビティ内において樹脂を冷却し、固化させることによって成形品を成形するようになっている。【０００３】
そのために、前記金型装置は固定金型及び可動金型から成り、型締装置によって前記可動金型を進退させ、前記固定金型に対して接離させることによって、型開閉、すなわち、型閉、型締及び型開を行うことができるようになっている。そして、前記型締装置は、一般的に、固定金型を保持する固定プラテン及び可動金型を保持する可動プラテンを有し、該可動プラテンを進退させる開閉装置としてトグル機構が配設され、該トグル機構は、駆動部に配設された電動モータ、サーボモータ等を駆動することによって作動させられる。【０００４】
図２は従来の固定プラテンの側面図である。【０００５】
図において、１０１は固定プラテンであり、図示されない可動プラテンと対向する金型取り付け面１０１ａには固定金型１０２が取り付けられている。また、１０３は、前記固定プラテン１０１と図示されないトグルサポートとの間に架設された複数、例えば、四本のタイバーであり、端部がナット等の固定部材１０４によって前記固定プラテン１０１の背面１０１ｂに固定されている。そして、前記可動プラテンは、前記タイバー１０３に沿って進退（図における左右方向に移動）可能に配設される。なお、前記可動プラテンにおける固定プラテン１０１と対向する金型取り付け面には図示されない可動金型が取り付けられている。【０００６】
そして、前記可動プラテンが図示されないトグル機構によって固定プラテン１０１の方向に移動させられると、可動金型が前記固定金型１０２に押し付けられ、型閉及び型締が行われる。この場合、前記固定金型１０２は、前記可動プラテン及び可動金型を介して、トグル機構から強い型締力１０７を受ける。そして、該型締力１０７が固定プラテン１０１に伝達されるので、該固定プラテン１０１が撓（たわ）んで、金型取り付け面１０１ａが変形してしまうことがある。【０００７】
図に示されるように、前記タイバー１０３は、それぞれ、固定金型１０２よりも上側及び下側において固定プラテン１０１の背面１０１ｂに固定されている。そして、前記固定プラテン１０１は、前記タイバー１０３によって、型締力１０７と向きが反対で大きさの等しい反力１０８を受ける。そのため、トグル機構から強い型締力１０７を受けると、固定プラテン１０１に曲げモーメントが作用し、前記固定プラテン１０１が撓み、１０６のように変形してしまう。それに伴い、金型取り付け面１０１ａも１０６ａのように変形してしまう。なお、図における変形後の固定プラテン１０６及び金型取り付け面１０６ａは、説明の都合上、誇張して示されている。【０００８】
このように、金型取り付け面１０１ａが１０６ａのように変形すると、固定金型１０２も変形してしまうので、成形品にばりが生じたり偏肉が発生したりして、成形品の成形性
が低下してしまう。そこで、前記固定プラテン１０１の撓み及び金型取り付け面１０１ａの変形を防止するために、前記固定プラテン１０１の板厚を厚くすることによって剛性を向上させている。しかし、前記固定プラテン１０１の板厚を厚くすると固定プラテン１０１の製造コストが高くなり、しかも、前記固定プラテン１０１の重量が増大するので、成形機全体の強度を向上させる必要があり、成形機全体の製造コストも高くなってしまう。【０００９】
そのため、固定プラテンを互いに離間した二つの壁部から構成し、該壁部を中間支持構造体によって接続する技術が提案されている（例えば、特許文献１参照。）。この場合、中間支持構造体によって金型取り付け面側の壁部の中央領域だけを支持するので、金型取り付け面側の壁部に曲げモーメントが作用しないようになっている。
【特許文献１】特開平９−３８９８４号公報
【発明の開示】
【発明が解決しようとする課題】
【００１０】
しかしながら、前記従来の中間支持構造体を有する固定プラテンにおいては、金型取り付け面側の壁部の中央領域だけが支持されるようになっているので、金型が大型のものであり、その固定金型の取り付け面が中央領域より外側の領域に及び、キャビティ空間が金型取り付け面側と中間支持構造体との連結部よりも外側に配置させる場合、前記金型取り付け面側の壁部は、中央領域の外側の領域でも型締力を受けることになる。この場合、中央領域の外側の領域は中間支持構造体によって支持されていないので、前記型締力によって変形してしまう。これにより、固定プラテンの金型取り付け面と固定金型が固定プラテンに接触する接触面との間の面圧が不均一になるだけでなく、キャビティ空間も外側に反ってしまい成形不良が生じてしまう。【００１１】
また、一般に、固定プラテンは鋳造によって製作されるが、前記従来の固定プラテンは、離間した二つの壁部を中間支持構造体によって接続するための構成が複雑である。そのため、鋳型の製作が困難となり、前記固定プラテンを鋳造によって製作する場合、製作コストが高くなってしまう。【００１２】
本発明は、前記従来の問題点を解決して、金型が小型であっても大型であっても、金型取り付け面が変形することがなく面圧が均一になり、かつ、鋳造によって容易に製作することができる金型支持装置、成形機及び成形方法を提供することを目的とする。
【課題を解決するための手段】
【００１３】
そのために、本発明の金型支持装置においては、金型が取り付けられる金型取り付け面を備える金型取り付け部と、反力付与部材からの反力を受ける反力受け部を隅部に備える背面部とを有する金型支持装置であって、前記金型取り付け部の中央領域と前記背面部の中央領域とが中央連結部材によって連結され、前記金型取り付け部の外周部と前記背面部の外周部とが外周部連結部材によって連結される。【００１４】
本発明の他の金型支持装置においては、さらに、前記金型取り付け部と背面部との間における前記中央連結部材の周囲に環状の空洞部が形成される。【００１５】
本発明の更に他の金型支持装置においては、さらに、前記中央連結部材の軸方向外周形状は、直線的又は対称に形成される。【００１６】
本発明の更に他の金型支持装置においては、さらに、前記中央連結部材は前記金型取り付け部の中央部と前記背面部の中央部とを連結する単一の部材である。【００１７】
本発明の更に他の金型支持装置においては、さらに、前記中央連結部材は前記金型取り
付け部の中央領域と前記背面部の中央領域とを連結する複数の部材である。【００１８】
本発明の更に他の金型支持装置においては、さらに、前記外周部連結部材は、前記金型取り付け部及び前記背面部の四方又は二方の外周部において前記金型取り付け部と背面部とを連結する。【００１９】
本発明の更に他の金型支持装置においては、さらに、前記反力受け部の金型取り付け側面と前記金型取り付け部の金型取り付け面との間には段差が存在する。【００２０】
本発明の更に他の金型支持装置においては、さらに、前記背面部は、成形機の型締装置を支持するフレームに固定される取り付け部を有し、該取り付け部は前記背面部の上下方向の変形を抑制する箇所に設けられる。【００２１】
本発明の成形機においては、本発明の金型支持装置を有する。【００２２】
本発明の成形方法においては、本発明の金型支持装置を使用して成形品を成形する。【００２３】
本発明の他の成形方法においては、固定金型支持装置に取り付けられた固定金型と可動金型支持装置に取り付けられた可動金型とから成る金型装置のキャビティに樹脂を充填して成形品を成形する成形方法であって、前記固定金型支持装置又は可動金型支持装置は、金型取り付け部の中央領域と背面部の中央領域とが中央連結部材によって連結され、前記金型取り付け部の外周部と前記背面部の外周部とが外周部連結部材によって連結され、型締装置の型締力によって前記可動金型を固定金型に押し付けるステップと、前記型締力が前記金型取り付け部から中央連結部材又は外周部連結部材の少なくとも一方を介して背面部に伝達されるステップと、前記型締力の反力を背面部の隅部における反力受け部が受けるステップと、溶融させられた樹脂が高圧で射出されて前記キャビティに充填されるステップとを有する。
【発明の効果】
【００２４】
本発明によれば、金型支持装置は、金型が小型であっても大型であっても、金型取り付け面の変形を抑制し、成形品の品質を向上させることができる。
【図面の簡単な説明】
【００２５】
【図１】本発明の実施の形態における固定プラテンの金型取り付け面側から見た第１の斜視図である。
【図２】従来の固定プラテンの側面図である。
【図３】本発明の実施の形態における固定プラテンの金型取り付け面側から見た第２の斜視図である。
【図４】本発明の実施の形態における固定プラテンの正面図である。
【図５】本発明の実施の形態における固定プラテンの背面側から見た斜視図である。
【図６】本発明の実施の形態における固定プラテンの背面図である。
【図７】本発明の実施の形態における固定プラテンの縦断面図であり図６のＢ−Ｂ矢視図である。
【図８】本発明の実施の形態における固定プラテンの縦断カットモデルの斜視図である。
【図９】本発明の実施の形態における固定プラテンの横断カットモデルの第１の斜視図であり図１のＡ−Ａ矢視図である。
【図１０】本発明の実施の形態における固定プラテンの横断カットモデルの第２の斜視図である。
【図１１】本発明の実施の形態における固定プラテンの横断カットモデルの正面図である。
【図１２】本発明の実施の形態における固定プラテンの側断面図であり成形機に取り付けられた状態を示す図である。
【図１３】本発明の実施の形態における固定プラテンを鋳造する鋳型の縦断面図である。
【図１４】本発明の実施の形態における固定プラテンを鋳造する鋳型の横断面図であり図１３のＣ−Ｃ矢視図である。
【符号の説明】
【００２６】
１１    固定プラテン
１２    金型取り付け部
１３    金型取り付け面
１４    背面部
１６、１６ａ、１６ｂ    タイバー荷重受け部
１８    取り付け部
２２    中央連結部材
２５    空洞部
４１    固定金型
４２    タイバー
４５    型締力
４６    反力
【発明を実施するための最良の形態】
【００２７】
以下、本発明の実施の形態について図面を参照しながら詳細に説明する。なお、本発明はいかなる種類の成形機にも適用することができるものであるが、ここでは、射出成形機に適用した場合について説明する。【００２８】
図１は本発明の実施の形態における固定プラテンの金型取り付け面側から見た第１の斜視図、図３は本発明の実施の形態における固定プラテンの金型取り付け面側から見た第２の斜視図、図４は本発明の実施の形態における固定プラテンの正面図、図５は本発明の実施の形態における固定プラテンの背面側から見た斜視図、図６は本発明の実施の形態における固定プラテンの背面図、図７は本発明の実施の形態における固定プラテンの縦断面図であり図６のＢ−Ｂ矢視図、図８は本発明の実施の形態における固定プラテンの縦断カットモデルの斜視図、図９は本発明の実施の形態における固定プラテンの横断カットモデルの第１の斜視図であり図１のＡ−Ａ矢視図、図１０は本発明の実施の形態における固定プラテンの横断カットモデルの第２の斜視図、図１１は本発明の実施の形態における固定プラテンの横断カットモデルの正面図である。【００２９】
図において、１１は、図示されない射出成形機に使用される金型装置が取り付けられる金型支持装置としての固定プラテンである。前記射出成形機は、図示されない加熱シリンダ内においてスクリュを前進させ、加熱され、溶融させられた樹脂を高圧で射出して金型装置のキャビティに充填し、該キャビティ内において樹脂を冷却し、固化させることによって成形品を成形する。この場合、前記金型装置は可動金型及び後述される金型としての固定金型４１から成り、図示されない型締装置によって前記可動金型を進退させ、前記固定金型４１に対して接離させることによって、型開閉、すなわち、型閉、型締及び型開を行うことができるようになっている。そして、前記型締装置は、固定金型４１を保持する固定プラテン１１及び可動金型を保持する図示されない可動プラテンを有し、該可動プラテンを進退させる開閉装置としてトグル機構が配設され、該トグル機構は、駆動部に配設された電動モータ、サーボモータ等を駆動することによって作動させられる。なお、前記開閉装置は、トグル機構以外のもの、例えば、油圧シリンダ装置等であってもよい。【００３０】
そして、前記可動プラテンが前記トグル機構によって固定プラテン１１の方向に移動させられると、可動金型が固定金型４１に押し付けられ、型閉及び型締が行われる。この場合、前記固定金型４１は、前記可動プラテン及び可動金型を介して、トグル機構から強い型締力を受ける。そして、該型締力が固定プラテン１１に伝達される。【００３１】
ここで、該固定プラテン１１は、鋳造によって一体的に形成された中空の箱状体から成るものである。なお、説明の都合上、前記箱状体の各部分に名称及び符号を付与して説明するが、各部分は、別個の部材ではなく、一体的に形成された前記箱状体を構成する部分であることに留意すべきである。【００３２】
前記固定プラテン１１は、前記固定金型４１が取り付けられる金型取り付け面１３を備える金型取り付け部１２と、前記金型取り付け面１３と反対側に位置する背面１５を備える背面部１４とを有する。この場合、前記金型取り付け面１３は、図示されない可動プラテンの側、すなわち、正面側に面し、前記背面１５は、図示されない加熱シリンダ側に面している。また、前記背面部１４は、後述される複数のタイバー４２のそれぞれに対応する位置に、前記型締力に対する反力を固定プラテン１１に付与する反力付与部材として機能するタイバー４２が挿入される挿入孔（こう）としてのタイバー挿入孔１７が形成された複数、例えば、四つのガイド部としてのタイバー荷重受け部１６を有する。該タイバー荷重受け部１６はタイバー４２から反力を受ける反力受け部として機能する。なお、前記タイバー荷重受け部１６の金型取り付け面１３側の面は、図１及び３に示されるように、金型取り付け面１３よりも引っ込んで、背面１５側に位置する。【００３３】
そして、前記背面部１４は、略矩（く）形の形状を有し、中心に、前記加熱シリンダの先端部に取り付けられた射出ノズルが進入するノズル進入孔２１が形成されている。なお、該ノズル進入孔２１は、図７及び８に示されるように、背面１５側から金型取り付け面１３側に進むに連れて径が漸減するテーパ状の縦断面を有する。そのため、前記ノズル進入孔２１の背面１５における径は、金型取り付け面１３における径よりも大きくなっている。また、前記背面部１４の左右下端には、取り付け部１８がタイバー４２よりも内側から下方に突き出された前記取り付け脚部材１８ａを介して取り付けられている。したがって、型締力の発生によってタイバー４２が変形し、該タイバー４２をナットによって止めているタイバー荷重受け部１６が変形しても、上方のタイバー荷重受け部１６ａの変形と下方のタイバー荷重受け部１６ｂの変形を均一にさせることができ、したがって、固定プラテン１１の上下の変形のアンバランスを解消することができる。【００３４】
前記取り付け部１８は、固定プラテン１１を前記型締装置の固定フレームの上面に取り付けるための部材であり、図示されない固定ボルト等の固定部材によって、前記取り付け部１８を前記固定台、固定フレーム等に固定するようになっている。また、前記固定部材による前記取り付け部１８の固定位置は、タイバー４２より外側の位置に取り付けられる。これにより、固定フレームの剛性を上げるために取り付けられた図示されない固定フレーム補強部材に、ボルト等の係止部材によって前記取り付け部１８を固定させることができ、固定フレームに固定プラテン用の新たな部材を配設する必要がない。なお、左右の前記背面部１４の下端に取り付けられた連結板１９によって連結されている。【００３５】
また、前記金型取り付け部１２は略矩形の形状を有し、中心に前記ノズル進入孔２１が形成されている。なお、前記金型取り付け部１２の金型取り付け面１３には、通常、固定金型４１を取り付けるためのボルト孔（あな）が複数形成されているが、本実施の形態においては省略されている。【００３６】
そして、固定プラテン１１の内部において、該固定プラテン１１の中央領域を残して空
洞部２５が形成され、残された中央領域は金型取り付け部１２と背面部１４とを繋（つな）ぐ中央連結部材２２として構成される。該中央連結部材２２は、図９〜１１に示されるように、略円柱状の外周が可動金型の進退方向において直線的又は対称な形状を有しているが、内部に前記ノズル進入孔２１が形成されている。そのため、前記中央連結部材２２は、内面がテーパ状の円筒状の形状を有しているとも言える。そして、前記金型取り付け部１２と背面部１４との間における前記中央連結部材２２の周囲には、図７〜１１に示されるように、環状の空洞部２５が形成されている。なお、該空洞部２５の内周側の側面は円筒面であり、外周側の側面は略四角筒面である。【００３７】
また、前記中央連結部材２２の断面形状は、略円形以外の形状であってもよく、金型取り付け面１３に取り付けられる固定金型４１の形状に応じて、略楕（だ）円形、略菱（ひし）形等の任意の形状に変更することができる。例えば、固定金型４１における取り付け面の形状が縦方向に長い形状である場合、中央連結部材２２の断面形状を縦方向に長い略楕円形又は略菱形にすることが望ましい。前記中央連結部材２２は、金型取り付け部１２における変形の少ない箇所と背面部１４とを連結する部材である。そのため、固定金型４１における取り付け面の形状が変化すると金型取り付け部１２における変形の少ない箇所の形状も変化するので、それに対応するように中央連結部材２２の断面形状を変化させることが望ましい。例えば、２材成形機のように横長の金型を使用する場合には、横方向に長い略楕円形の形状にすることが望ましい。【００３８】
そして、前記金型取り付け部１２が固定金型４１を介して受けた型締力は、中央連結部材２２を介して、背面部１４の中央領域に伝達される。一方、前記タイバー荷重受け部１６がタイバー４２から受けた反力は、背面部１４及び中央連結部材２２を介して金型取り付け部１２の中央領域に伝達される。したがって、前記中央連結部材２２の寸法、例えば、半径方向の肉厚は、前記型締力及び反力を伝達するために十分な強度を発揮するように決定される。また、固定プラテン１１の内部において、該固定プラテン１１の中央領域を残して空洞部２５が形成されているので、金型取り付け部１２は中央領域の外側において背面部１４から切り離されている。そのため、タイバー荷重受け部１６がタイバー４２から受けた反力によって背面部１４の外周部及びタイバー荷重受け部１６が変形しても、該変形が金型取り付け部１２に伝達されることがないので、該金型取り付け部１２が変形することがない。したがって、金型取り付け面１３と固定金型４１が固定プラテン１１に接触する接触面との間の面圧が不均一になることがない。本発明では、中央連結部材２２は一つの部材で構成されているが、複数の部材を用いて金型取り付け部１２の中央領域と背面部１４の中央領域とを連結させてもよい。【００３９】
さらに、前記空洞部２５は斜め方向開口部１００によっても外部と連通されている。そして、タイバー荷重受け部１６の金型取り付け側の側面と、金型取り付け面１３との間に段差が形成される。前記斜め方向開口部１００は、タイバー荷重受け部１６と金型取り付け部１２とを完全に切り離す作用をしているため、型締力がタイバー４２にかかりタイバー荷重受け部１６が変形したとしても、該タイバー荷重受け部１６の変形が金型取り付け部１４に伝達されることはない。さらに、前記背面部１４の上下の水平な外周端縁における水平開口３２に対応する位置には、金型取り付け部１２の方向に向けて突出する側壁３６が形成されている。また、該側壁３６は、水平側縁連結部材３４及び隣接するタイバー荷重受け部１６に連結されている。そのため、前記背面部１４の上下の水平な外周端縁は、前記側壁３６がリブの役割を果たしているため強度が向上し、変形し難くなる。【００４０】
また、前記空洞部２５は固定プラテン１１の垂直側面の両側には外部に連通するように側部開口３１が形成され、水平側面の両側には外部に連通するように水平開口３２が形成される。前記側部開口３１によって、固定プラテン１１の垂直側面には垂直側縁連結部材３３が、前記水平開口３２によって、水平側面には水平側縁連結部材３４が形成され、こ
れらの複数の側縁連結部材によって外周側縁連結部材が構成される。なお、前記側壁３６は、必要に応じて、背面部１４の左右の垂直な外周端縁における側部開口３１に対応する位置に取り付けることもできる。また、側部開口３１及び水平開口３２の寸法、形状や数を金型サイズやプラテンの加工性、金型取り付け部１２及び背面部１４の強度、変形量に応じて適宜変更することで、垂直側縁連結部材３３及び水平側縁連結部材３４を最適な形状や数に変えることができる。【００４１】
さらに、前記金型取り付け部１２は、左右の垂直な外周端縁における上下両端で、外周縁補助連結部材３５によって、背面部１４の左右の垂直な外周端縁における上下両端と連結されている。なお、前記外周縁補助連結部材３５は、金型取り付け部１２及び背面部１４の強度、変形量等に応じて、寸法及び形状を適宜変更することもできるし、省略することもできる。さらに、前記金型取り付け部１２及び背面部１４の強度、変形量等に応じ、前記金型取り付け部１２及び背面部１４の上下の水平な外周端縁における左右両端を連結する位置に前記外周縁補助連結部材３５を配設して、前記金型取り付け部１２と背面部１４とを連結することもできる。【００４２】
このように、金型取り付け部１２は、四方の外周端縁におけるそれぞれの中央部で背面部１４に連結されているので、固定金型４１の寸法が大きく、金型取り付け部１２の外周部及びその近傍、すなわち、中央領域の外側が型締力を受けた場合でも、前記中央領域の外側の部位が変形することがない。また、金型取り付け部１２は、タイバー荷重受け部１６から離れているので、該タイバー荷重受け部１６がタイバー４２から受けた反力によって背面部１４におけるタイバー荷重受け部１６近傍の部位が変形しても、該変形が金型取り付け部１２に伝達されることがないので、該金型取り付け部１２が変形することがない。したがって、金型取り付け面１３と固定金型４１の接触面との間の面圧が不均一になることがない。【００４３】
さらに、タイバー荷重受け部１６は、隣接する側壁３６及び外周縁補助連結部材３５に連結されている。そのため、タイバー荷重受け部１６がタイバー４２から受けた反力によって変形し、タイバー４２に曲がりが生じた場合でも、隣接した側壁３６及び外周縁補助連結部材３５を利用することで、過度にタイバー４２に曲がりが生じることを防ぎ、タイバー４２が破損してしまうことを防止することができる。つまり、金型に対する成形性能を向上させつつ、全体の剛性をも向上させることができる。【００４４】
ここで、前記固定プラテン１１は鋳造によって製作されたものであり、前記金型取り付け部１２、背面部１４、タイバー荷重受け部１６、取り付け部１８、取り付け脚部材１８ａ、連結板１９、中央連結部材２２、垂直側縁連結部材３３、水平側縁連結部材３４、外周縁補助連結部材３５及び側壁３６は、単一の部材として一体的に形成されている。なお、前記背面部１４には、図５及び６に示されるように、鋳造の際に空洞部２５を成形するために使用される後述される中子５５を支持する支持部材５６が貫通した背面貫通孔２８が複数、例えば、四つ形成されている。また、前記背面貫通孔２８は、図７、８、１０及び１１に示されるように、空洞部２５と連通している。【００４５】
つまり、本実施の金型支持装置では、金型支持装置の内部において、可動金型の進退方向に延在する空洞部２５に取り囲まれた中央連結部材２２と、前記金型取り付け面１３と隣り合う面に、前記空洞部２５と貫通する貫通孔３１及び３２を備えた構造である。【００４６】
次に、前記構成の固定プラテン１１の動作を説明する。【００４７】
図１２は本発明の実施の形態における固定プラテンの側断面図であり成形機に取り付けられた状態を示す図である。【００４８】
まず、射出成形機における型締装置の駆動部としてのサーボモータが作動して、該サーボモータの回転運動が運動方向変換機構としてのボールねじによって直線運動に変換されて、トグル機構を介して図示されない可動プラテンに伝達する。これにより、該可動プラテンが固定プラテン１１の方向に移動させられ、前記可動プラテンに取り付けられた図示されない可動金型が前記固定プラテン１１の金型取り付け面１３に取り付けられた固定金型４１に押し付けられ、型閉及び型締が行われる。なお、前記固定プラテン１１と図示されないトグルサポートとの間に架設された複数、例えば、四本のタイバー４２が、図１及び３に示されるようなタイバー挿入孔１７に挿入され、前記タイバー４２の端部がナット等の固定部材４３によって前記固定プラテン１１のタイバー荷重受け部１６に背面１５から固定されている。【００４９】
続いて、図示されない射出装置から樹脂が高圧で射出され、前記可動金型及び固定金型４１のキャビティ空間に充填される。そして、前記樹脂が冷却して固化することによって成形品が成形される。すると、前記型締装置の駆動部が作動し、可動プラテンが後退させられて可動金型が固定金型４１から離間して、型開が行われる。続いて、図示されないエジェクタロッドを前進させると、エジェクタピンが、前記可動金型内部のキャビティに突出して成形品をエジェクトする。これにより、成形品が取り出される。以上の動作を繰り返すことによって、多数の成形品が成形される。【００５０】
ここで、型閉及び型締のときには、図１２に示されるように、前記固定金型４１は、前記可動プラテン及び可動金型を介して、トグル機構から強い型締力４５を受ける。そして、該型締力４５が固定プラテン１１に伝達される。そして、該固定プラテン１１のタイバー荷重受け部１６は、前記タイバー４２によって、型締力４５と向きが反対で大きさの等しい反力４６を受ける。そのため、トグル機構から強い型締力４５を受けると、タイバー荷重受け部１６がタイバー４２から強い反力４６を受け背面部１４に曲げモーメントが作用し、該背面部１４が撓み、１４ａで示されるように変形してしまう。この場合、前記背面部１４は、中央領域に中央連結部材２２が連結され、中央領域の強度が高くなっているので、中央領域においてはほとんど変形することがない。そのため、前記背面部１４は、主として、中央領域の外側において変形する。それに伴い、背面１５も１５ａで示されるように、主として、中央領域の外側において変形する。なお、図１２における変形後の固定プラテン１１の背面部１４ａ及び背面１５ａは、説明の都合上、誇張して示されている。【００５１】
しかし、金型取り付け部１２は、その中央領域が中央連結部材２２によって、背面部１４の中央領域と連結され、該中央領域の外側は空洞部２５によって切り離されている。そのため、タイバー荷重受け部１６が変形しても、該変形が金型取り付け部１２に伝達されることがないので、該金型取り付け部１２が変形することがない。そして、該金型取り付け部１２及びその金型取り付け面１３が変形せず、該金型取り付け面１３と固定金型４１の接触面との間の面圧が均一なので、固定金型４１が変形することもない。したがって、成形品にばりが生じることも、偏肉が発生することもないので、成形品の品質を向上させることができる。【００５２】
また、前記金型取り付け部１２は、中央領域に中央連結部材２２が連結され、中央領域の強度が高くなっているので、強い型締力４５を受けても、中央領域においてはほとんど変形することがない。さらに、前記金型取り付け部１２は、四方の外周端縁におけるそれぞれの中央部で、垂直側縁連結部材３３及び水平側縁連結部材３４によって、背面部１４の四方の外周端縁におけるそれぞれの中央部と連結されている。そのため、固定金型４１の寸法が大きく、金型取り付け部１２の中央領域の外側が型締力４５を受けた場合でも、前記中央領域の外側の部位が変形することがない。したがって、金型取り付け部１２及び
その金型取り付け面１３は、中央領域の外側であっても変形しないので、金型取り付け面１３と固定金型４１の接触面との間の面圧が不均一にならず、固定金型４１が変形することもない。【００５３】
なお、金型取り付け部１２と背面部１４とが垂直側縁連結部材３３及び水平側縁連結部材３４によって連結されている四方の外周端縁における中央部は、タイバー荷重受け部１６から離れている。そのため、該タイバー荷重受け部１６がタイバー４２から受けた反力４６によって背面部１４におけるタイバー荷重受け部１６近傍の部位が変形しても、該変形が金型取り付け部１２に伝達されることがないので、該金型取り付け部１２が変形することがない。【００５４】
さらに、背面部１４の外周端縁に側壁３６及び外周縁補助連結部材３５が取り付けられているので、前記背面部１４の、特に、中央領域の外側における部位の強度が向上し、変形し難くなる。そのため、空洞部２５によって重量が軽減されても、固定プラテン１１の強度が低下することがない。【００５５】
次に、前記構成の固定プラテン１１を鋳造によって製作するための鋳型について説明する。【００５６】
図１３は本発明の実施の形態における固定プラテンを鋳造する鋳型の縦断面図、図１４は本発明の実施の形態における固定プラテンを鋳造する鋳型の横断面図であり図１３のＣ−Ｃ矢視図である。【００５７】
本実施の形態において、前記固定プラテン１１は、図１３及び１４に示されるような鋳型５０を使用し、鋳造によって製作される。図１３に示されるように、前記鋳型５０は、下型５１及び上型５２を有し、前記下型５１と上型５２との間の空間に、溶融した金属材料としての溶湯５９が充填される。なお、該溶湯５９は、例えば、鋳鋼である。この場合、前記溶湯５９は、前記上型５２に形成された湯口５３から流し込まれ、湯道５３ａを通って前記空間内に流入する。なお、５４は押湯のために前記上型５２に形成された押湯口であり、任意の位置に必要な数だけ形成することができる。【００５８】
そして、前記空間内に空洞部２５を形成するための中子５５が配設されている。該中子５５は、複数本、例えば、四本の支持部材５６によって下から支えられているので、下型５１の上面から離れ、前記空間内に浮遊した状態で配設される。なお、前記支持部材５６は、背面部１４の背面貫通孔２８を形成する。また、図１４に示されるように、前記中子５５は、複数、例えば、各側面において二つずつの側面支持部材５７によって横から支えられているので、上型５２の内側面から離れた状態で配設される。なお、前記側面支持部材５７は、側部開口３１及び水平開口３２を形成する。さらに、図１４に示されるように、前記空間の四隅にはタイバー荷重受け部１６のタイバー挿入孔１７を形成するための挿入孔用中子５８が配設される。【００５９】
このように、前記鋳型５０は、簡単な構成を有しているので、固定プラテン１１を容易に鋳造することができ、該固定プラテン１１の製作コストを低くすることができる。また、空洞部２５を形成するための中子５５は、支持部材５６及び側面支持部材５７によって支持され、かつ、前記支持部材５６及び側面支持部材５７によって背面貫通孔２８、側部開口３１及び水平開口３２が形成される。そのため、鋳造が終了した後に中子５５を前記背面貫通孔２８、側部開口３１及び水平開口３２から容易に取り出すことができる。【００６０】
このように、本実施の形態において、固定プラテン１１は、金型取り付け部１２と背面部１４とを有し、前記金型取り付け部１２と背面部１４とは中央領域において中央連結部
材２２によって連結され、かつ、前記中央領域の外側は空洞部２５によって互いに切り離されている。しかも、前記金型取り付け部１２と背面部１４とは、四方の外周端縁におけるそれぞれの中央部で外周縁連結部材によって連結されている。【００６１】
そのため、簡単な構造でありながら、金型取り付け部１２及びその金型取り付け面１３は、固定金型４１の大きさに関わらず、型締力４５やその反力４６によって変形することがない。したがって、固定金型４１が変形することもないので、金型取り付け面１３と固定金型４１の接触面との間の面圧が不均一にならず、成形品にばりが生じることも、偏肉が発生することもなく、成形品の成形性が低下してしまうことがない。【００６２】
また、背面部１４の外周端縁に側壁３６及び外周縁補助連結部材３５が空洞部２５を形成する中子５５の支持板によって形成されているので、前記背面部１４の強度が向上し、変形し難くなる。【００６３】
さらに、前記固定プラテン１１は、簡単な構成の鋳型５０によって製作することができるので、容易に製作することができ、製作コストを低くすることができる。この場合、鋳造が終了した後に、空洞部２５を形成するための中子５５を背面貫通孔２８、側部開口３１及び水平開口３２から容易に取り出すことができる。また、固定プラテン１１の一方の面である金型を取り付ける面は、金型を取り付けるために面精度を必要とする面であるが、他方の面である背面部１４は比較的求められる精度が低いので、背面部１４に中子５５の支持板を設けることで空洞部２５の形成を容易にすることができる。【００６４】
なお、前記実施の形態においては、可動プラテンが横方向（水平方向）に移動する横置型の射出成形機について説明したが、本発明は、可動プラテンが縦方向（垂直方向）に移動する縦置型の射出成形機にも適用することができる。さらに、本発明は、射出成形機の他に、ダイキャストマシーン、ＩＪ封止プレス等の成形機にも適用することができる。【００６５】
また、本発明は前記実施の形態に限定されるものではなく、本発明の趣旨に基づいて種々変形させることが可能であり、それらを本発明の範囲から排除するものではない。
【産業上の利用可能性】
【００６６】
この発明は、金型支持装置、成形機及び成形方法に適用することができる。
【図１】
0004364902.tif 000002
【図２】
0004364902.tif 000003
【図３】
0004364902.tif 000004
【図４】
0004364902.tif 000005
【図５】
0004364902.tif 000006
【図６】
0004364902.tif 000007
【図７】
0004364902.tif 000008
【図８】
0004364902.tif 000009
【図９】
0004364902.tif 000010
【図１０】
0004364902.tif 000011
【図１１】
0004364902.tif 000012
【図１２】
0004364902.tif 000013
【図１３】
0004364902.tif 000014
【図１４】
0004364902.tif 000015